(57)【要約】  【課題】細幅の溝状部分への打ち込みを支障無く行えるガス燃焼式打ち込み工具を提供する。  【手段】打ち込み工具は、シリンダ18を内蔵した本体１と、本体１の前端に配置したヘッド３と、ヘッド３の下面に取付けたマガジン４とを備えている。ヘッド３は、ファスナー12及びロッド２のガイドを兼用するメインプローブ24と、メインプローブ24をガイドするメインガイド体25と、メインプローブ24で押される第２中間プローブ27と、シュラウド５と、メインプローブ24を覆う補助プローブ26とを備えている。メインプローブ24がある程度後退すると補助プローブ26も後退する。メインプローブ24及び補助プローブ26はシュラウド５の全端から細長く延びているため、溝状の場所にも容易に打ち込みできる。【選択図】        図３
2006043859.tif 000002
【特許請求の範囲】
【請求項１】
釘や鋲等のファスナーを打ち出す棒状のロッドが内蔵された本体と、本体の前面に設けたヘッドと、ロッドの前方にファスナーを１本ずつ供給するために連結ファスナーが装填されるマガジンとを備えており、前記ヘッドは、ワークに当たると後退するメインプローブを有しており、メインプローブが後退し切ると安全装置のロックが解除されてロッドの前進動が可能となるように設定された打ち込み工具であって、
前記ヘッドに、人がメインプローブを手で操作できないように保護する筒状の補助プローブを、メインプローブの後退動を損なわない状態で設けている、
打ち込み工具。
【請求項２】
前記マガジンには、連結ファスナーをヘッドに向けてばねにて移動させるためのフォロアーが装着されており、フォロアーが終端まで移動し切った状態でマガジン内又はヘッド内に１本又は複数本のファスナーが残るように設定されている一方、
前記メインプローブはファスナー及びロッドのガイドを兼用しており、このメインプローブに押されて前記補助プローブが後退するように設定されており、前記フォロアーには、当該フォロアーが終端まで移動し切ると補助プローブの後退動を阻止するストッパーが設けられている、
請求項１に記載した打ち込み工具。
【発明の詳細な説明】
【技術分野】
【０００１】
本発明は、釘打ち機や鋲打ち機のように軸の一端に頭を網せけたファスナーの打ち込み工具に関し、特に、ガス燃焼式の打ち込み工具に好適なものである。
【背景技術】
【０００２】
釘打ち機や鋲打ち機のような打ち込み工具は、動力源として圧縮空気を利用したものやガスの燃焼圧を利用したものなどがある。
【０００３】
どのような駆動原理であっても、打ち込み工具は、釘等のファスナーを打ち出す棒状のロッドが内蔵された本体と、ロッドによるファスナーの打ち出しをガイドするために本体の前面に設けたヘッドと、ロッドの前方にファスナーを下方から１本ずつ供給するマガジンとを備えている。
【０００４】
また、ファスナーを人に向けて発射したり空中に向けて発射したりすることを防止するため、単にトリガーを引いてもロッドが前進しないようにした安全装置が付いている。そして、ヘッドに、ワークに押し当てると後退するプローブを設けており、プローブの後退動によって安全装置のロックが解除されるようになっている。
【０００５】
ヘッドはファスナー及びロッドの前進動をガイドするインナーガイド体を備えており、プローブをインナーガイド体とは別部材に構成したものと、インナーガイド体をプローブに兼用したものとがある。また、ガス燃焼式の打ち込み工具では、作業者がプローブを手で簡単に操作できると安全装置の意味がなくなることから、ヘッドの大部分をシュラウド（カバー）で覆っている。
【発明の開示】
【発明が解決しようとする課題】
【０００６】
ところで、ガス式等の打ち込み工具で締結されるワークとして、例えば、溝巾寸法が小さい溝型鋼がある。このような巾狭の溝型ワークの場合、シュラウドがワークの端面につかえてプローブを施工面に当てることができず、そのため締結作業を行えなくなる虞があった。また、シュラウドが邪魔になって、打ち込み箇所を見にくくなるため、作業をしづらいという問題であった。
【０００７】
この点については、シュラウドの先端部を小径にして細長く形成すればよいと考えられるが、シュラウドは一般に板金加工によって製造されるもので加工誤差が大きいことから、実際問題として先端部をあまり小径にすることができない。他方、狭い溝部への打ち込みの問題はプローブの長さを長くすることによっても対処できるが、プローブがシュラウドから大きく突出していると人がプローブを簡単に操作できるため、安全装置としての意味が無くなってしまう。本願発明の第１の目的は、このような現状を改善することにある。
【０００８】
ところで、マガジンはドラム状のものと細長い直線状のものとに大別され、ガス燃焼式の打ち込み工具には、一般に直線状のマガジンが使用されている。そして、直線状のマガジンには、平行に並べたファスナーの多数本を連結具で連結した連結ファスナーを装填するようになっており、この連結ファスナーは、ばねで付勢されたフォロアーによって押されるようになっている。
【０００９】
フォロアーには連結ファスナーの終端を押す爪が設けられているが、連結ファスナーを最後までヘッドに向けて爪で押すのではなく、最後の２本程度を残した状態でフォロアーが停止するようにストッパーを設けている。これは、ロッドと爪との干渉を防止するためであり、ストッパーはヘッド又はマガジンの上端部に当たるように設定している。フォロアーが終端まで移動して停止したら、次の連結ファスナーを装填し、マガジンに残っていたファスナーを後続の連結ファスナーで押すことにより、先行したファスナーは全て打ち出される。
【００１０】
そして、フォロアーが停止して例えば２本のファスナーが残った状態で、プローブをワークに押し当てても安全装置のロックが解除されないように保持するため、フォロアーに設けたストッパーでプローブの後退動を阻止しているが、本願発明の第２の目的は、インナーガイドがプローブを兼用しているタイプの打ち込み工具において、最後のファスナーが残った状態でロック状態に保持することを簡単な構造にて実現することにある。
【課題を解決するための手段】
【００１１】
本願発明の打ち込み工具は、基本構成として、釘や鋲等のファスナーを打ち出す棒状のロッドが内蔵された本体と、本体の前面に設けたヘッドと、ロッドの前方にファスナーを１本ずつ供給するために連結ファスナーが装填されるマガジンとを備えており、前記ヘッドは、ワークに当たると後退するメインプローブを有しており、メインプローブが後退し切ると安全装置のロックが解除されてロッドの前進動が可能となるように設定されている。
【００１２】
そして、請求項１の発明は、前記ヘッドに、人がメインプローブを手で操作できないように保護する筒状の補助プローブを、メインプローブの後退動を損なわない状態で設けている。
【００１３】
請求項２の発明は、請求項１において、前記マガジンには、平行に配置したファスナーの群を連結具で連結して成る連結ファスナーをヘッドに向けてばねにて移動させるためのフォロアーが装着されており、フォロアーが終端まで移動し切った状態でマガジン内又はヘッドに１本又は複数本のファスナーが残るように設定されている。
【００１４】
そして、前記メインプローブはファスナー及びロッドのガイドを兼用しており、このメインプローブに押されて前記補助プローブが後退するように設定されており、前記フォロアーには、当該フォロアーが終端まで移動し切ると補助プローブの後退動を阻止するストッパーが設けられている。
【発明の効果】
【００１５】
請求項１の発明において、例えば細幅の溝状部分にファスナーを打ち込みできるようにメインプローブを細長く延びる形態にしても、補助プローブの存在により、人がメインプローブを手で操作して安全装置のロックを解除することはできない。このため、狭い部分への打ち込みも可能な使い勝手の良い工具でありながら、安全装置としての機能を確保することができる。
【００１６】
請求項２のように構成すると、フォロアーが終端で停止した状態では補助プローブが後退動不能となってメインプローブも後退動不能となり、このため、最後の１本又は複数本のファスナーがマガジン又はヘッドに残った状態で誤って打ち込み不能にロックされるが、このロックが補助プローブを利用して行われるため、それだけ構造を簡単化することができる。
【発明を実施するための最良の形態】
【００１７】
次に、本発明の実施形態を図面に基づいて説明する。なお、以下の説明で前後・左右・上下といった方向を表示する場合、壁への打ち込み作業を行う作業者を基準にして前後・左右・上下の用語を使用している。
【００１８】
(1).全体の概要
本実施形態は、ロッドの駆動機構としてガスの燃焼圧を利用した工具に適用している。図１〜図１６では〜第１実施形態を示しており、このうち図１は全体の側面図、図２は分離した状態の側面図であり、図３は縦断側面図、図４は主要部の分離斜視図である。
【００１９】
図１〜２に示すように、打ち込み工具は、打ち込み用のロッド（ブレード）２を内蔵した本体１と、本体１の前端に設けたヘッド３と、ヘッド３と本体１とに重なるマガジン４とを備えている。ヘッド３は保護用のシュラウド５を有している。
【００２０】
本体１は中空状のハウジング６を備えており、本体１はまた、側面視傾斜状のグリップ７を備えており、グリップ７にはトリガー８を設けている。詳細は省略するが、駆動源となるガスボンベ（ガスカートリッジ）は、本体のうちグリップ７の上方の中空部に装填される。
【００２１】
マガジン４は、縦長のガイド９を備えた収納部１０と、本体１の前面に重なる取付け部１１とを備えている。本体１の前面は側面視で傾斜しており、このため、取付け部１１の背面も側面視で傾斜している。
【００２２】
収納部１０のガイド溝９に、並列配置された多数本のファスナー１２を連結具１３で連結してなる連結ファスナー１４が下方から装填される。収納部１０の上端に設けたアップーブロック１５には、位置決め用の左右２本のピン１６が傾斜状に延びている。
【００２３】
また、収納部１０には、連結ファスナー１４を上向きに押すためのフォロアー（プッシャー）１７を装着している。フォロアー１７は図示しないばねで上向き（ヘッド３の方向）に引っ張られている。取付け部１１の下端部とグリップ７の下端部とはノブ９ａを設けたねじで締結されている。
【００２４】
図３に示すように、ハウジング６の内部にはシリンダ１８が配置されており、シリンダ１８に、ロッド２を備えたピストン（図示せず）が摺動自在に嵌め込まれている。また、シリンダ１８の内部の前端にはクッションゴム２３を嵌め入れている。
【００２５】
図示していないが、シリンダ１８の後方に燃焼室が形成されており、シリンダ１８に外側からスライド自在に嵌まった安全スリーブが後退動すると燃焼室が塞がれて燃焼室に燃料ガスが充填され、トリガー８を引くとプラグの放電によってガスに着火し、ピストン及びロッド２が前進する。燃焼済ガスはハウジング６に設けた排気穴から外部に放出される。
【００２６】
打ち込み工具は、トリガー８を引いただけではロッド２が前進しないようロックをかける安全装置を設けている。この安全装置の一部は、例えば、シリンダ１８に燃料ガスを供給する管路等のうちの適当な部位に設けた弁装置とすることができる。この場合は、弁装置に対するロックを解除しないと、トリガー８を引いても燃料ガスを燃焼室に供給することはできない。
【００２７】
シリンダ１８の前端部には前向きに開口した凹所１９が形成されており、この凹所１９に、第１中間プローブ２０の前端部を嵌め入れている。第１中間プローブ２０はばね２１で前向きに付勢されている。図４に示すように、第１中間プローブ２０は４股状の足部２０ａを備えており、この足部２０ａが後退することにより、前記した安全スリーブが後退すると共に安全装置のロックが解除される。なお、第１中間プローブ２０の足部２０ａはシリンダ１８及びハウジング６と干渉しないようになっている。
【００２８】
シリンダ１８の前端には、凹所１９を塞ぐ前板２２が装着されている。図示していないが、シリンダ１８の周壁のうち前部には排気穴が空いており、ピストンの前進動により押された空気と燃焼ガスとは、この排気穴からシリンダ１８の外側に排出される。ハウジング６には、排気を逃がすための前向きの開口部が空いている。
【００２９】
(2).ヘッドの構造
次に、図１〜４に加えて図５〜図１０も参照してヘッド３の構造を説明する。図５はシュラウド５を破断した状態での平面図、図６は要部の縦断側面図、図７は主要部材の分離側断面図、図８のうち（Ａ）は図３のＡ−Ａ視断面図、（Ｂ）は図３のＢ−Ｂ視断面図、（Ｃ）は図３のＣ−Ｃ視視断面図、図９のうち（Ａ）は図５のＡ−Ａ視断面図、（Ｂ）は図５のＢ−Ｂ視断面図、図１０は打ち込み状態を示す断面図である。
【００３０】
ヘッド３は、ファスナー及びロッド２のガイドを兼用すると共に安全装置の一環を成す略筒状のメインプローブ２４と、メインプローブ２４のガイド等を司るメインガイド体２５と、メインプローブ２４の前部に嵌まった補助プローブ２６と、メインプローブ２４の後退動に連動して後退する第２中間プローブ２７と、防護手段としての前記シュラウド５とを備えている。シュラウド５は、本体１の前面に特殊ねじ２８で固定されている。
【００３１】
例えば図４から容易に理解できるように、メインガイド体２５は、先端部は小径円筒部２５ａに形成されて略後半部は広幅部２５ｂに形成されており、広幅部２５ｂには、左右の壁２５ｃを設けることにより、ブロック体２９がスライド自在に嵌まる前後長手で上下開口のスリット３０を形成している。
【００３２】
また、広幅部２５ｂには、メインガイド２５を本体１に取付けるための取り付け穴３１と、マガジン４を位置決めするための位置決め穴３２とを設けている。メインガイド２５は、本体１の前面に突出した受け部（図示せず）にピン又はねじ類で取付けられる。なお、メインガイド２５を本体１に一体成形すること（すなわち非着脱式にすること）も可能である。
【００３３】
図３から理解できるように、メインガイド体２５は、小径筒部２５ａと後端部とを除いて下方に開口している。言うまでもないが、これはファスナー１２の通過を許容するためである。ブロック体２９は第２中間プローブ２７にねじ３７で固定されており、第２中間プローブ２７の後端は下向きに折り曲げられており、この下向き折り曲げ部２７ａがワッシャーを介して第１中間プローブ２０の前端に当接している。第２中間プローブ２７はばね２１で前進方向に付勢されており、このため、非打ち込み状態でブロック体２９の先端はスリット３０の前面に当接している。
【００３４】
メインプローブ２４は金属製であり、その先端部の若干の長さ（例えば１０ｍｍ程度）は大径部２４ａとなり、それより後部は、同じ程度の長さの中間径部２４ｂと小径部２４ｃとに構成されている。従って、メインプローブ２４には、第１段部３３と第２段部３４とが存在しており、第２段部３４にブロック体２９の前端が当接している。このため、メインプローブ２４が後退するとブロック体２９及び第２中間プローブ２７も押されて後退する。
【００３５】
メインプローブ２４は、中間径部２４ｂがメインガイド体２５の小径筒部２５ａに嵌まり、小径部２４ｃの後端部がメインガイド体２５の後端筒部２５ｄに嵌まることにより、前後動のみ可能に保持されている。メインプローブ２４には、ファスナー１２の入り込みを許容するための下向き開口の長穴３５が形成されている（図４や図８参照）。
【００３６】
シュラウド５の前端はマガジン４の前端と同じ程度の位置しており、このため、メインプローブ２４はマガジン４の前端から前方に大きく延びている。他方、補助プローブ２６はメインプローブ２４のうちシュラウド５から突出した部分に外側からスライド自在に嵌まっており、従って、その大部分がシュラウド５から露出している。
【００３７】
また、例えば図６や図８に示すように、補助プローブ２６はメインプローブ２４の大径部２４ａにスライド自在に嵌まる内径であり、かつ、その前端寄り部位の内面に、メインプローブ２４の第１段部３３に当接し得る内向き突起３６を設けている。このため、メインプローブ２４がある程度の寸法Ｌ１を後退すると、補助プローブは第１段部３３に押されてメインプローブ２４と一緒に後退する。メインプローブ２４のみが後退する寸法Ｌ１は、安全装置のロックを解除するために必要な後退ストロークＬよりも小さい寸法に設定している。
【００３８】
補助プローブ２６の内向き突起３６は、本実施形態では円周方向に沿って複数（３個）設けている。これは、こじれをなくしてスムースに相対動させるためである。
【００３９】
メインガイド体２５の小径筒部２５ａの外径はメインプローブ２４の大径部２４ａと殆ど同径に設定しており、補助プローブ２６はメインプローブ２４の小径筒部２４ａにも外側からスライド自在に嵌まっている。
【００４０】
そして、補助プローブ２６には、メインガイド体２５のスリット３０に入り込む後向き板部２６ａを設けており、後ろ向き板部２６ａに前後長手の長穴３８を形成する一方、メインガイド体２５の左右壁部２５ｃの上面にステー３９をねじ４０で固定し、ステー３９の左右中間部に溶接又はねじ込み等にて固定したガイドねじ４１の軸部を前記長穴３８に嵌め入れている。このため、補助プローブ２６は回転不能に保持される。なお、ガイド手段はねじ４１に代えてピン類を使用しても良い。
【００４１】
また、補助プローブ２６の後ろ向き板部２６ａの後端はブロック体２９に近接しており、このため、補助プローブ２６のみを後退させることは殆どできない。メインプローブ２４には、ガイドねじ４１との干渉を防止するため長溝４２を形成している。
【００４２】
補助プローブ２６には、マガジン４の上部側面の外側に向けて後向きに延びるサイドストッパー２６ｂを設けている（マガジンとの関係は後述する）。なお、補助プローブ２６を後退方向に付勢するばね手段を設けることも可能である。
【００４３】
図１０に示すように、メインプローブ２４の先端をワークＷに押し当てると、メインプローブ２４が後退するが、その後退途中で補助プローブ２６も押されて一緒に後退し、両者が後退し切った状態で安全装置のロックが解除される。このため、トリガー８を引くとロッド２が前進してファスナー１２がワークＷに打ち込まれる。
【００４４】
そして、メインプローブ２４及び補助プローブ２６はシュラウド５の前端から大きく突出しているため、ワークＷが細巾の溝型鋼であっても確実に打ち込み作業を行うことができる。また、メインプローブ２４の大部分が補助プローブ２６で隠れていて作業者がメインプローブ２４を指で摘んで後退させることはできないため、安全機能が阻害されることもないのである。
【００４５】
補助プローブ２６は、鋳物製として切削加工したり、金属の丸棒又はパイプ材を素材として削り出しで加工したりすることができ、このため、十分な強度と寸法精度とを確保しつつ外径をできるだけ小さくできる。従って、シュラウド５の前部を長く筒状に延ばす場合に比べて外径は遥かに小さくなる。
【００４６】
第２中間プローブ２７及びその止めねじ類３７はシュラウド５で完全に囲われており、外部からねじ３７又は第２中間プローブ２７にアクセスできない。また、第２中間プローブ２７はメインガイド体２５の左右壁部２５ｃで囲われているため、マガジン４を取り外しても、例えばドライバー等の工具で第２中間プローブ２７やねじを移動操作することはできない。なお、シュラウド５の前端は僅かながら筒状になっているが、これは強度を確保するためである。
【００４７】
(3).マガジンの構造
次に、図１１以下の図面も参照してマガジン４について説明する。図１１はマガジンのみを取り外した状態の斜視図、図１２はヘッド３に取付けた状態での側面図、図１３は図１２のXIII−XIII視断面図、図１４は図１２のXIV-XIV 視断面図、図１５は図１６（Ａ）のXV−XV視断面図、図１６のうち（Ａ）はフォロアー１７が終端（上端）で移動した状態での側面図、（Ｂ）は（Ａ）のＢ−Ｂ視断面図である。
【００４８】
既述のとおり、マガジン４は収納部１０と取付け部１１を備えているが、図１１では収納部１０だけを示している。取付け部１１は二つ割り状のケース４３（図１，２も参照）で構成されており、ケース４３は収納部１０に固定されている。収納部１０は複数の部材からなっており、その内部には、連結ファスナー１４が装填される前記ガイド溝９が形成されている。
【００４９】
収納部１０の上端に固定したアップーブロック１５には、ファスナー１２が通過する長穴４４が空いている。前記したようにマガジン４は二つ割り状のケース４３を備えてりお、両ケース４３の上端はねじ４５でアップーブロック１５に固定される。このため、アップーブロック１５にはねじ穴４６が空いている。
【００５０】
図１４に示すように、フォロアー１７には、連結ファスナー１４の終端を押す爪４７を設けている。フォロアー１７を始端（下端）まで後退させると爪４７はガイド溝９から離脱するように回動し、収納部１０の下方からガイド溝９に連結ファスナー１４を装填することができる。
【００５１】
フォロアー１７の爪４７がメインプローブ２４の内部に進入すると、ロッド２が爪４７に干渉してしまうと共に、ファスナー１２は、先端が上向きとなるように倒れる虞がある。このため、フォロアー１７には、メインガイド体２５の下面に当接して終端位置を規制するストッパー４８を設けている。
【００５２】
本実施形態では、図１５に示すように、ストッパー４８がメインガイド体２５に当接した状態で２本のファスナー１２がマガジン４に残るように設定している。フォロアー１７が終端まで移動したら、フォロアー１７を後退させて新しい連結ファスナー１４を装填することになる。残っていた２本のファスナー１２は、新たな連結ファスナー１４に押されて打ち出される。
【００５３】
フォロアー１７のストッパー４８は、収納部１０の前面寄り部位の側面に重なるように配置している。また、アップーブロック１５には、ストッパー４８との干渉を防止するため切欠き部４９を形成しており、切欠き部４９には、ストッパー４８の倒れを防止するための前向き突起５０を設けている。
【００５４】
そして、フォロアー１７が終端まで移動し切った状態では、前記した補助プローブ２６のサイドストッパー２６ｂの後退動がストッパー４８で阻止されるように設定している。図８（Ｃ）から理解できるように、補助プローブ２６のサイドストッパー２６ｂは後退するとアップーブロック１５の切欠き部４９に入り込むように設定しており、このため、通常の打ち込み状態においてサイドストッパー２６ｂがアップーブロック１５と干渉することはない。
【００５５】
以上の説明から理解できるように、フォロアー１７が終端まで移動し切った状態では、補助プローブ２６は殆ど後退することはできないため、作業者が誤ってメインプローブ２４をワークＷに押し当てても、メインプローブ２４はロックを解除する位置まで後退することはできない。すなわち、ロック状態が保持される。このため、マガジン４に最後に残っていたファスナー１２が不安定な姿勢のままで打ち出されることはない。
【００５６】
ところで、ファスナー１２とロッド２とのガイドを行うインナーガイド体をメインプローブ２４に兼用しているタイプでは、フォロアー１７が終端まで移動し切った状態でロック状態に保持する手段として、従来は、フォロァー１７に設けたストッパー（本実施形態とは配置位置が異なっている）を第２中間プローブ２７に相当する部材に当てていた。
【００５７】
他方、インナーガイドを固定式として、その先端部にメインプローブを嵌め込んだタイプの打ち込み工具では、本実施形態と同じフォロアー１７が使用されており、ストッパー４８をメインプローブに当てることによってロック状態を保持していた。従って、従来は、打ち込み工具のタイプ別に２種類のフォロアーが使用されていた。
【００５８】
これに対して本願発明では、固定式インナーガイドの打ち込み工具と可動式インナーガイドの打ち込み工具とで同じ種類のフォロアーを使用することができるため、部材を共通化してコストダウンに資することができる。また、インナーガイドをメインプローブと成しているタイプでは、従来のように第２中間プローブにストッパーを当てる加工を必要としないため、この面でも構造を簡単化することができる。
【００５９】
(4).他の実施形態
図１７では他の実施形態の概略を示してい。このうち（Ａ）に示す第２実施形態では、補助プローブ２６は固定式としてメインプローブ２４のみがスライドするように設定している。補助プローブ２６はメインガイド体とは別体に構成しており、このような固定式の補助プローブも構造も本願発明に含まれる。
【００６０】
（Ｂ）に示す第３実施形態では、補助プローブ２６がメインプローブ２４と同じ寸法だけスライドするように設定している。但し、補助プローブ２６を後退させてもメインプローブ２４は後退せず、補助プローブ２６はメインプローブ２４の後退動によってのみ後退する。
【００６１】
（Ｃ）に示す第４実施形態では、固定式インナーガイド５１の小径筒部５１ａに安全装置の機能のみを備えたメインプローブ５２を嵌め込み、更に、メインプローブ５２に補助プローブ２６を外側からスライド可能に嵌め込んでいる。この例の場合、第１実施形態と同様に、補助プローブ２６は独自に後退させることはできず、メインプローブ５２に押されて後退するように設定されている。
【００６２】
上記の各実施形態はヘッドにシュラウドを備えていた場合であったが、本願発明はシュラウドを備えていない打ち込み工具にも適用できる。その例を第５実施形態として（Ｄ）で示している。すなわちこの実施形態では、ファスナー１２及びロッド２のガイドを兼用するメインプローブ２４がブロック状メインガイド体２５にスライド自在に嵌め込れており、メインプローブ２４のうちメインガイド体２５から突出した部分の大部分を補助プローブ２６で覆っている。メインプローブ２４が後退すると補助プローブ２６も押されて後退する。
【００６３】
そして、この実施形態では、メインプローブ２４はメインガイド体２５の外側に露出しておらず、安全装置のロック解除は、メインプローブ２４の後端部で中間プローブ（図示せず）を押すことによって行われる。中間プローブはメインガイド体２５で覆われているか、又は本体の内部に配置されている。
【００６４】
(5).その他
本願発明は上記の実施形態の他にも様々に具体化することができる。例えば、メインプローブや補助プローブの形状は必要に応じて設計変更できる。また、補助プローブはガス燃焼式の打ち込み工具の他にも、空圧式の打ち込み工具や火薬式打ち込み工具等の他の価値込み工具にも適用できる。マガジンはヘッド又は本体に固定されていても良い。また、連結ファスナーはコイル状であっても良いのである（この場合は、マガジンはドラム状になる）。
【００６５】
更に、第１実施形態ではフォロアーの終端位置を規制するストッパーを補助プローブの後退阻止ストッパーに兼用したが、両者を別々の構成とすることも可能である（但し、両者を兼用させると構造が簡単になる利点がある）。
【００６６】
本願発明からは外れるが、フォロアーが終端まで移動し切った状態で打ち込み不能にする安全機構としては、フォロアーに設けたストッパーによってメインプローブの後退動を直接に後退させても良いのである（従って、この場合は必ずしも補助プローブは必要ない）。更に、ファスナー及びロッドのガイド機能を備えていないメインプローブをフォロアーのストッパーで直接に停止させることも可能である。
【図面の簡単な説明】
【００６７】
【図１】第１実施形態の全体の側面図である。
【図２】分離した状態の側面図である。
【図３】縦断側面図である。
【図４】ヘッドを構成する部材の分離斜視図である。
【図５】シュラウドを破断した状態での平面図である。
【図６】要部の縦断側面図である。
【図７】主要部材の分離側断面図である。
【図８】(A)は図３の A-A視断面図、 (B)は図３の B-B視断面図、 (C)は図３の C-C視断面図である。
【図９】(A)は図５の A-A視断面図、 (B)は図５の B-B視断面図である。
【図１０】打ち込み状態を示す断面図である。
【図１１】マガジンの収納部の斜視図である。
【図１２】マガジンをヘッドに取付けた状態での側面図である。
【図１３】図１２のXIII−XIII視断面図である。
【図１４】図１２のXIV-XIV 視断面図である。
【図１５】図１６（Ａ）のXV−XV視断面図である。
【図１６】(A)はフォロアーが終端（上端）まで移動した状態での側面図、 (B)は (A)の B-B視断面図である。
【図１７】第２〜第５実施形態の概略図である。
【符号の説明】
【００６８】
１  本体
２  ロッド
３  ヘッド
４  マガジン
５  シュラウド
８  トリガー
１０  収納部
１１  取付け部
１４  連結ファスナー
２０，２７  安全装置の一環を成す中間プローブ
２４  安全装置の一部を構成するメインプローブ
２５  安全装置の一部を構成するメインガイド体
２６  補助プローブ
【図１】
2006043859.tif 000003
【図２】
2006043859.tif 000004
【図３】
2006043859.tif 000005
【図４】
2006043859.tif 000006
【図５】
2006043859.tif 000007
【図６】
2006043859.tif 000008
【図７】
2006043859.tif 000009
【図８】
2006043859.tif 000010
【図９】
2006043859.tif 000011
【図１０】
2006043859.tif 000012
【図１１】
2006043859.tif 000013
【図１２】
2006043859.tif 000014
【図１３】
2006043859.tif 000015
【図１４】
2006043859.tif 000016
【図１５】
2006043859.tif 000017
【図１６】
2006043859.tif 000018
【図１７】
2006043859.tif 000019